(57)【要約】      （修正有）【課題】電源アダプタの誤接続を防止し、かつ運用コストを十分に低減可能な電源供給システムを提供する。【解決手段】通信機器に電力を供給するアダプタ１２０に表示された符号から該アダプタに対応する識別情報を読み取り、読み取った識別情報を通信機器１１０に送信する端末１００で構成される電源供給システムで、通信機器１１０が、電力を自装置に供給するアダプタに対応する識別情報を受信する通信部１１１と、受信した識別情報が、所定の識別情報に対応するか否かを判断する判定部１１２と、判定部が否と判断した場合には、アダプタから自装置への電力の供給を遮断し、誤接続を示す信号を出力する遮断通知部１１３とを備える通信機器を含む。【選択図】図２３
2015210570.tif 000002
【特許請求の範囲】
【請求項１】
電力を自装置に供給するアダプタに対応する識別情報を受信する通信部と、
受信した前記識別情報が、所定の識別情報に対応するか否かを判断する判定部と、
前記判定部が否と判断した場合には、前記アダプタから自装置への電力の供給を遮断し、誤接続を示す信号を出力する遮断通知部と、を備える、
ことを特徴とする通信機器。
【請求項２】
前記通信部は、自装置が前記アダプタから電力を供給されることが可能な所定の時間以内に前記識別情報を受信しないときには、遮断を要求する信号を出力し、
前記遮断通知部は、前記遮断を要求する信号が入力されると、前記アダプタから自装置への電力の供給を遮断する、
ことを特徴とする請求項１に記載の通信機器。
【請求項３】
動作を許可する信号が入力されると、対向する電子機器と通信を行う通信機能部を備え、
前記遮断通知部は、前記判定部が否と判断しない場合には、前記動作を許可する信号を前記通信機能部に出力する、
ことを特徴とする請求項１乃至２のいずれか１項に記載の通信機器。
【請求項４】
前記遮断通知部は、起動すると、動作を許可しない信号を出力し、
前記通信機能部は、前記動作を許可しない信号が入力されると、前記電子機器との通信を停止する、
ことを特徴とする請求項３に記載の通信機器。
【請求項５】
前記所定の識別情報は、定格に適合する電力を前記通信装置に供給する前記アダプタに対応する識別情報である、
ことを特徴とする請求項１乃至４のいずれか１項に記載の通信機器。
【請求項６】
通信機器に電力を供給するアダプタに表示された符号から前記アダプタに対応する識別情報を読み取り、前記通信機器に送信する、
ことを特徴とする端末。
【請求項７】
前記符号は、一次元コード又は、二次元コードである、
ことを特徴とする請求項６に記載の端末。
【請求項８】
請求項６又は請求項７のいずれかに記載された端末と、前記通信機器と、を備え、
前記通信機器は、請求項１乃至５のいずれかに記載された通信機器を含む、
ことを特徴とするシステム。
【請求項９】
通信機器に電力を供給するアダプタに表示された符号から前記アダプタに対応する識別情報を読み取る読取工程と、
前記識別情報が所定の識別情報に対応するか否かを判断する判定工程と、
前記判定工程が否と判断した場合には、前記アダプタから前記通信機器への電力の供給を遮断し、誤接続を示す信号を出力する遮断通知工程と、を備える、
ことを特徴とする誤接続防止方法。
【請求項１０】
前記読取工程は、前記通信機器が前記アダプタから電力を供給されることが可能な所定の時間以内に前記識別情報を受信しないときには、遮断を要求する信号を出力し、
前記遮断通知工程は、前記遮断を要求する信号が入力されると、前記アダプタから自装置への電力の供給を遮断する、
ことを特徴とする請求項９に記載の誤接続防止方法。
【発明の詳細な説明】
【技術分野】
【０００１】
本発明は、通信機器、システム、誤接続防止方法に関し、特に、他の機器の電源アダプタが誤接続されることを防ぐ通信機器、システム、誤接続防止方法に関する。
【背景技術】
【０００２】
一般的に、モデムやホームゲートウェイ、ルータなど、多くの通信機器が知られている。各通信機器には、通常、その通信機器に対応する電源アダプタ（以下、「正規の電源アダプタ」という）がユーザによって接続される。
【０００３】
しかし、各通信機器は、他の通信機器の電源アダプタが誤接続されてしまうことがあった。なぜなら、電源アダプタの出力端子、すなわちＤＣ（Ｄｉｒｅｃｔ  Ｃｕｒｒｅｎｔ）プラグの形状は、通信機器毎に必ずしも異なるわけではないからである。他の通信機器の電源アダプタが誤接続されてしまうと、通信機器は、定格外の電力が入力され、発熱したり、故障したりする可能性がある。最悪のときには、通信機器は、発煙や発火するに至ってしまう。
【０００４】
他の機器の電源アダプタが誤接続されたときに、定格外の電力が入力されないように制御を行う技術が特許文献１に記載されている。図２４は、特許文献１の電力供給システムの構成例を示す図である。
【０００５】
特許文献１に記載されている電力供給システムは、図２４に示されるように、アダプタ７０と電子機器８０を備える。アダプタ７０は、商用電源からの電力を電子機器８０に供給するアダプタである。アダプタ７０と電子機器８０には、情報の送受信を行う送受信回路７１、８１が備わる。さらに、アダプタ７０は情報格納部７２を備え、情報格納部７２には、アダプタの種類を示す識別情報が格納される。
【０００６】
電子機器８０は、アダプタ７０から電力が供給されると、送受信回路８１より識別情報を伝送するようアダプタ７０に要求する。アダプタ７０は、送受信回路７１によって上述の要求を受け取ると、情報格納部７２に設定されている識別情報を送受信回路７１から電子機器８０に送信する。電子機器８０は、送受信回路８１によって識別情報を受信すると、受信した識別情報が適合するか否かを判断し、適合する場合には、スイッチ８２を閉じて負荷８３にアダプタ７０から電力を供給する。負荷８３は、ＩＣ（Ｉｎｔｅｇｒａｔｅｄ  Ｃｉｒｃｕｉｔ）である。電子機器８０は、受信した識別情報が適合しない場合、又は識別情報を受信しない場合には、スイッチ８２を閉じず、負荷８３にアダプタ７０からの電力を供給しない。
【０００７】
上述の動作の通り、特許文献１の電力供給システムは、定格に適合する電力を電子機器に供給し、定格外の電力が電子機器に入力されないよう制御することができる。電子機器は、通信機器であってもよい。
【先行技術文献】
【特許文献】
【０００８】
【特許文献１】実開平０１−０９３９２７号公報
【発明の概要】
【発明が解決しようとする課題】
【０００９】
しかし、特許文献１の電力供給システムは、運用コストを十分に低減できていないという課題があった。なぜなら、特許文献１の電力供給システムは、アダプタ７０に識別情報を格納する情報格納部７２、すなわちメモリを実装しなければならないからである。アダプタ７０は、持ち運ばれるものなので衝撃が加わりやすく、それに実装されたメモリは壊れやすい。その結果、アダプタ７０を修理する回数が自然と増えることとなり、特許文献１の電力供給システムは、運用コストを十分に低減できないという課題があった。
【００１０】
さらに、特許文献１の電力供給システムは、識別情報が適合しない場合、特に何もせず、電子機器に電源アダプタを接続した者（以下、「接続作業者」という）に対し、誤接続であることを知らせない。その結果、接続作業者は、誤接続したことを瞬時に知ることができない、という課題があった。
【００１１】
本発明は、上記課題を解決する通信機器、システム、誤接続防止方法を提供することを目的とする。
【課題を解決するための手段】
【００１２】
上記目的を達成するために、本発明の通信機器は、電力を自装置に供給するアダプタに対応する識別情報を受信する通信部と、受信した前記識別情報が、所定の識別情報に対応するか否かを判断する判定部と、前記判定部が否と判断した場合には、前記アダプタから自装置への電力の供給を遮断し、誤接続を示す信号を出力する遮断通知部と、を備える。
【００１３】
上記目的を達成するために、本発明のシステムは、通信機器に電力を供給するアダプタに表示された符号から前記アダプタに対応する識別情報を読み取り、前記通信機器に送信する端末と、前記通信機器と、を備え、前記通信機器は、電力を自装置に供給する前記アダプタに対応する識別情報を受信する通信部と、受信した前記識別情報が、所定の識別情報に対応するか否かを判断する判定部と、前記判定部が否と判断した場合には、前記アダプタから自装置への電力の供給を遮断し、誤接続を示す信号を出力する遮断通知部と、を備える通信機器を含む。
【００１４】
上記目的を達成するために、本発明の誤接続防止方法は、通信機器に電力を供給するアダプタに表示された符号から前記アダプタに対応する識別情報を読み取る読取工程と、前記識別情報が所定の識別情報に対応するか否かを判断する判定工程と、前記判定工程が否と判断した場合には、前記アダプタから前記通信機器への電力の供給を遮断し、誤接続を示す信号を出力する遮断通知工程と、を備える。
【発明の効果】
【００１５】
本発明によれば、システムは、運用コストを十分に低減することができる。
【００１６】
さらに、本発明のシステムでは、通信機器に電源アダプタを接続した者は、正規ではない電源アダプタを通信機器に誤接続したことを瞬時に知ることができる。
【図面の簡単な説明】
【００１７】
【図１】本発明の第１の実施の形態におけるシステムの構成例を示す図である。
【図２】本発明の第１の実施の形態におけるシステムの電源アダプタに表示される二次元コードを説明する為の図である。
【図３】本発明の第１の実施の形態におけるシステムに備わるホームゲートウェイの通信機能の概要を説明する為の図である。
【図４】本発明の第１の実施の形態におけるシステムに備わるホームゲートウェイの構成例を示す図である。
【図５】本発明の第１の実施の形態におけるシステムの動作を説明する為の図である。
【図６】本発明の第１の実施の形態におけるシステムに備わるホームゲートウェイの動作の詳細（処理Ｓ１の詳細）を説明する為の図である。
【図７】本発明の第１の実施の形態におけるシステムに備わるホームゲートウェイの動作の詳細（処理Ｓ２の詳細）を説明する為の図である。
【図８】本発明の第１の実施の形態におけるシステムに備わるホームゲートウェイの機能を制限した時の様子を示す図である。
【図９】本発明の第１の実施の形態におけるシステムに備わるホームゲートウェイの動作の詳細（処理Ｓ３の詳細）を説明する為の図である。
【図１０】本発明の第１の実施の形態におけるシステムに備わるスマートフォンの画面表示の一例を示した図である。
【図１１】本発明の第１の実施の形態におけるシステムに備わるホームゲートウェイの動作の詳細（処理Ｓ９の詳細）を説明する為の図である。
【図１２】本発明の第１の実施の形態におけるシステムに備わるホームゲートウェイの動作詳細（処理Ｓ１０の詳細）を説明する為の図である。
【図１３】本発明の第１の実施の形態におけるシステムの電源アダプタに表示されるバーコードの一例を示す図である。
【図１４】本発明の第２の実施の形態におけるシステムの構成例を示す図である。
【図１５】本発明の第２の実施の形態におけるシステムの動作を説明する為の図である。
【図１６】本発明の第３の実施の形態におけるシステムの構成例を示す図である。
【図１７】本発明の第３の実施の形態におけるシステムの動作を説明する為の図である。
【図１８】本発明の第４の実施の形態におけるシステムの構成例を示す図である。
【図１９】本発明の第４の実施の形態におけるシステムの動作を説明する為の図である。
【図２０】本発明の第５の実施の形態におけるシステムの構成例を示す図である。
【図２１】本発明の第５の実施の形態におけるシステムに備わるホームゲートウェイの構成例を示す図である。
【図２２】本発明の第５の実施の形態におけるシステムの動作を説明する為の図である。
【図２３】本発明の第６の実施の形態におけるシステムの構成例を示す図である。
【図２４】特許文献１の電力供給システムの構成例を示す図である。
【発明を実施するための形態】
【００１８】
次に本発明の実施形態について、図面を参照して詳細に説明する。
【００１９】
≪第１の実施の形態≫
［概要］
第１の実施形態のシステムは、通信機器に接続された電源アダプタに表示されているＱＲコード（登録商標）から、電源アダプタのＩＤ（Ｉｄｅｎｔｉｆｉｃａｔｉｏｎ）を読み取り、読み取ったＩＤが正規の電源アダプタのＩＤかを判別する。第１の実施形態のシステムは、読み取ったＩＤが正規の電源アダプタのＩＤでない場合には、誤接続を示すＬＥＤ（Ｌｉｇｈｔ  Ｅｍｉｔｔｉｎｇ  Ｄｉｏｄｅ）を点灯し、電源アダプタから通信装置への電力の供給を遮断する。その結果、本実施形態のシステムは、定格外の電力が通信機器に入力されるのを防ぐことができる。また、誤接続を示すＬＥＤが点灯するので、通信機器に電源アダプタを接続した者は、誤接続したことを瞬時に知ることができる。
【００２０】
さらに、本実施形態のシステムは、上述のように、電源アダプタのＩＤ（すなわち、識別情報）をＱＲコードから読み取るので、特許文献１の電力供給システムと異なり、識別情報を格納する為のメモリを電源アダプタに実装する必要がない。その結果、本実施形態のシステムは、持ち運ばれる電源アダプタに壊れやすいメモリを実装しないで済むので、修理の回数が減り、運用コストを十分に低減することができる。
【００２１】
本発明の第１の実施の形態におけるシステムの構成や機能、動作について詳細を以下に説明する。
【００２２】
［構成の説明］
（１）本実施形態のシステムの構成
図１は、本発明の第１の実施の形態におけるシステムの構成例を示す図である。図２は、本発明の第１の実施の形態におけるシステムの電源アダプタに表示される二次元コードを説明する為の図である。
【００２３】
本実施形態のシステムは、図１に示されるように、ホームゲートウェイ１と、スマートフォン２と、電源アダプタ３と、を備える。
【００２４】
ホームゲートウェイ１は、電源ケーブル３１を介して、電源アダプタ３と接続される。ホームゲートウェイ１は、無線回線を介して、スマートフォン２と接続される。
【００２５】
（２）本実施形態のシステムを構成する各部位の機能
（２−１）電源アダプタ３の機能
電源アダプタ３は、ホームゲートウェイ１の正規の電源アダプタ（以下、「正規の電源アダプタ」という）である。すなわち、電源アダプタ３は、商用電源からの電力をホームゲートウェイ１の定格に適合する電力に変換し、自身に備わるＤＣ（Ｄｉｒｅｃｔ  Ｃｕｒｒｅｎｔ）プラグから出力する。
【００２６】
また、電源アダプタ３には、ホームゲートウェイ１の製造者によって、ＱＲ（Ｑｕｉｃｋ  Ｒｅｓｐｏｎｓｅ）コード３２が表示される。
【００２７】
ＱＲコード３２は、電源アダプタ３を示す識別情報（以下、「電源アダプタ３のＩＤ」という）を符号化した二次元コードである。ＱＲコード３２は、電源アダプタ３のＩＤ以外に、電源アダプタが接続される装置の装置名（すなわち、ホームゲートウェイ１）、電源アダプタの型式、及び製造年月日も符号化されたコードであってもよい。ＱＲコード３２は、図２に示されるように、電源アダプタ３に貼付された白無地のラベル３３の上に表示される。
【００２８】
（２−２）スマートフォン２の機能
スマートフォン２は、カメラ付き携帯端末であり、ＩＳＯ／ＩＥＣ  １８００４に準拠してＱＲコードから情報を読み取る一般的な読取機能を有する。ＩＳＯは、Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎの略称であり、ＩＥＣは、Ｉｎｔｅｒｎａｔｉｏｎａｌ  Ｅｌｅｃｔｒｏｔｅｃｈｎｉｃａｌ  Ｃｏｍｍｉｓｓｉｏｎの略称である。
【００２９】
またスマートフォン２は、ＩＥＥＥ８０２．１１で規定される規格に準拠して、無線ＬＡＮ（Ｌｏｃａｌ  Ａｒｅａ  Ｎｅｔｗｏｒｋ）通信を行う機能（以下、「無線ＬＡＮ通信機能」という）を備える。
【００３０】
スマートフォン２は、上述の読取機能により、ＱＲコード３２から電源アダプタのＩＤ等の情報を読み取ると、読み取った電源アダプタのＩＤを、無線ＬＡＮ通信機能によってホームゲートウェイ１に送信する。
【００３１】
（２−３）ホームゲートウェイ１の機能
図３は、本発明の第１の実施の形態におけるシステムに備わるホームゲートウェイの通信機能の概要を説明する為の図である。
【００３２】
本実施形態のシステムのホームゲートウェイ１は、図３に示すように、上述の無線ＬＡＮ通信機能を備える。さらに、ホームゲートウェイ１は、一般的な電話機能やパケット通信機能、一般的なＵＳＢ（Ｕｎｉｖｅｒｓａｌ  Ｓｅｒｉａｌ  Ｂｕｓ）接続機能も備え、対応する周辺機器と通信を行う。図３では、通信先がインターネットか、ＰＣ（Ｐｅｒｓｏｎａｌ  Ｃｏｍｐｕｔｅｒ）かによって、上述のパケット通信機能をＷＡＮ（Ｗｉｄｅ  Ａｒｅａ  Ｎｅｔｗｏｒｋ）機能又は、ＬＡＮ機能と記載している。
【００３３】
ホームゲートウェイ１は、電力が供給されると、無線ＬＡＮ通信機能のみを動作させる。ホームゲートウェイ１の電力の消費を抑えるためである。なお、無線ＬＡＮ通信機能のみを動作させる動作については、後述の［動作の説明］で詳細に説明する。
【００３４】
ホームゲートウェイ１は、無線ＬＡＮ通信機能によって、スマートフォン２から電源アダプタのＩＤを受信すると、そのＩＤが正規の電源アダプタのＩＤかを判別する。正規の電源アダプタのＩＤは、ホームゲートウェイ１のユーザによって、予めホームゲートウェイ１に設定される。
【００３５】
ホームゲートウェイ１は、受信したＩＤが正規の電源アダプタのＩＤでない場合には、誤接続を示すＬＥＤを点灯させ、ホームゲートウェイ１のユーザに誤接続を知らせる。すなわち、ホームゲートウェイ１は、光信号によってホームゲートウェイ１のユーザに誤接続を知らせる。さらに、ホームゲートウェイ１は、ＬＥＤを点灯させると、電源アダプタから自身への電力の供給を遮断する。一部（無線ＬＡＮ通信機能）でも定格でない電力が供給され続け、ホームゲートウェイ１が発熱・発火することを防ぐ為である。
【００３６】
ホームゲートウェイ１は、受信したＩＤが正規の電源アダプタのＩＤである場合には、無線ＬＡＮ通信機能以外の通信機能（すなわち、電話機能、パケット通信機能、ＵＳＢ接続機能）を動作させる。
【００３７】
（３）ホームゲートウェイ１を構成する各部位の構成と機能
（３−１）ホームゲートウェイ１を構成する各部位の構成
上述の機能を実現する為のホームゲートウェイ１の構成について説明する。図４は、本発明の第１の実施の形態におけるシステムに備わるホームゲートウェイの構成例を示す図である。
【００３８】
ホームゲートウェイ１は、図４に示されるように、ＣＰＵ（Ｃｅｎｔｒａｌ  Ｐｒｏｃｅｓｓｉｎｇ  Ｕｎｉｔ）１１と、メモリブロック１２と、電話機能部１３と、Ｅｔｈｅｒｎｅｔ通信部１４と、ＵＳＢ接続機能部１５と、を備える。さらに、ホームゲートウェイ１は、無線ＬＡＮ通信部１６と、比較判定部１７と、電源生成・供給部１８と、電源制御部１９と、電源入力部２０と、機能制御部２１と、点灯部２２と、を備える。
【００３９】
（３−２）ホームゲートウェイ１を構成する各部位の機能
ホームゲートウェイ１を構成する各部位の機能を以下に説明する。説明は、電力供給に関係する機能部（例えば電源入力部２０等）、正規の電源アダプタか否かを判別する機能部（比較判定部１７等）、判別の結果に基づいて動作する機能部（機能制御部２１等）、その他の機能部（電話機能部１３等）の順に説明する。なお、以下、各部位間で入出力される信号は、電気信号として入出力される信号である。
【００４０】
（３−２−１）電力供給に関係する機能部（電源入力部２０、電源制御部１９、及び電源生成・供給部１８）の機能
電源入力部２０は、電源アダプタのＤＣプラグと接続する為の入力端子である。
【００４１】
電源制御部１９は、電源入力部２０に接続された電源アダプタから電力が入力されると、その電力を電源生成・供給部１８に出力する。
【００４２】
また、電源制御部１９は、電力供給の遮断を要求する信号がＣＰＵ１１から入力されると、電源生成・供給部１８への電力の出力を停止する。その為に電源制御部１９は、電源生成・供給部１８との間に開閉器を備えていてもよい。電源制御部１９は、電力供給の遮断を要求する信号が入力されると、電源生成・供給部１８との間の開閉器を開く。
【００４３】
電源生成・供給部１８は、電源制御部１９から入力された電力を、各機能部に供給する。
【００４４】
（３−２−２）正規の電源アダプタか否かを判別する機能部（無線ＬＡＮ通信部１６と比較判定部１７）の機能
（３−２−２−１）無線ＬＡＮ通信部１６の機能
無線ＬＡＮ通信部１６は、機能制御部２１から動作を許可するＥｎａｂｌｅ信号が入力されると、ＩＥＥＥ８０２．１１で規定される規格に準拠して、スマートフォン２と無線ＬＡＮ（Ｌｏｃａｌ  Ａｒｅａ  Ｎｅｔｗｏｒｋ）通信を行う。なお、無線ＬＡＮ通信部１６は、無線ＬＡＮ通信を行うために、増幅器やＲＦ（Ｒａｄｉｏ  Ｆｒｅｑｕｅｎｃｙ）回路、制御回路やアンテナを備えてもよい。
【００４５】
無線ＬＡＮ通信部１６は、上述の無線ＬＡＮ通信機能によって電源アダプタのＩＤを受信すると、受信した電源アダプタのＩＤをＣＰＵ１１に出力する。ＣＰＵ１１に出力された電源アダプタのＩＤは、後述の「（３−２−３−１）ＣＰＵ１１の機能」で説明するが、比較判定部１７に転送される。
【００４６】
（３−２−２−２）比較判定部１７の機能
比較判定部１７は、電源アダプタのＩＤがＣＰＵ１１から入力されると、正規の電源アダプタのＩＤか否かを判別する。その為に、比較判定部１７は、メモリブロック１２から正規の電源アダプタのＩＤを取得し、入力された電源アダプタのＩＤが正規の電源アダプタのＩＤか否かを判別する。メモリブロック１２には、正規の電源アダプタのＩＤがホームゲートウェイ１の製造者によって予め設定されている。
【００４７】
比較判定部１７は、電源アダプタのＩＤが正規の電源アダプタのＩＤである場合には、ＩＤ一致を示す信号をＣＰＵ１１に出力する。
【００４８】
比較判定部１７は、電源アダプタのＩＤが正規の電源アダプタのＩＤでない場合には、ＩＤ不一致を示す信号をＣＰＵ１１に出力する。
【００４９】
（３−２−３）判別の結果に基づいて動作する機能部（ＣＰＵ１１、機能制御部２１、及び点灯部２２）の機能
（３−２−３−１）ＣＰＵ１１の機能
ＣＰＵ１１は、電力が供給され、起動すると、無線ＬＡＮ通信部１６のみを動作させることを示す信号（以下、「機能制限信号」という）を機能制御部２１に出力する。
【００５０】
また、ＣＰＵ１１は、電源アダプタのＩＤが無線ＬＡＮ通信部１６から入力されると、比較判定部１７に出力する。
【００５１】
さらに、ＣＰＵ１１は、ＩＤ一致を示す信号が比較判定部１７から入力されると、機能の開放を指示する信号を機能制御部２１に出力する。
【００５２】
ＣＰＵ１１は、ＩＤ不一致を示す信号が比較判定部１７から入力されると、誤接続を示すＬＥＤの点灯を指示する点灯信号を点灯部２２に出力し、さらに、電力供給の遮断を要求する信号を電源制御部１９に出力する。
【００５３】
（３−２−３−２）機能制御部２１の機能
機能制御部２１は、ＣＰＵ１１から機能制限信号が入力されると、無線ＬＡＮ通信部１６に対して、動作を許可するＥｎａｂｌｅ信号を出力する。さらに、機能制御部２１は、Ｅｎａｂｌｅ信号を出力した後、無線ＬＡＮ通信部１６以外の通信部（すなわち、電話機能部１３、Ｅｔｈｅｒｎｅｔ通信部１４、及びＵＳＢ接続機能部１５）に対して、動作を許可しないＤｉｓａｂｌｅ信号を出力する。
【００５４】
機能制御部２１は、ＣＰＵ１１から機能の開放を指示する信号が入力されると、他の通信部１３、１４、１５に対して、Ｅｎａｂｌｅ信号を出力する。
【００５５】
（３−２−３−３）点灯部２２の機能
点灯部２２は、ＬＥＤ（Ｌｉｇｈｔ  Ｅｍｉｔｔｉｎｇ  Ｄｉｏｄｅ）を備える。点灯部２２は、ＣＰＵ１１から上述の点灯信号が入力されると、ＬＥＤを点灯させる。ホームゲートウェイ１のユーザに誤接続を知らせる為である。
【００５６】
（３−２−４）その他の機能部（メモリブロック１２、電話機能部１３と、Ｅｔｈｅｒｎｅｔ通信部１４と、ＵＳＢ接続機能部１５）の機能
（３−２−４−１）メモリブロック１２について
メモリブロック１２は、いくつかのメモリで構成された機能部であり、ホームゲートウェイ１の正規の電源アダプタのＩＤを記憶する。ホームゲートウェイ１の製造者が、正規の電源アダプタのＩＤをメモリブロック１２に設定し、それをメモリブロック１２は記憶してもよい。
【００５７】
なお、メモリブロック１２は、Ｆｌａｓｈ  ＲＯＭ（Ｒｅａｄ  Ｏｎｌｙ  ｍｅｍｏｒｙ）やＤＲＡＭ（Ｄｙｎａｍｉｃ  Ｒａｎｄｏｍ  Ａｃｃｅｓｓ  Ｍｅｍｏｒｙ）で構成されてもよい。
【００５８】
（３−２−４−２）電話機能部１３の機能
電話機能部１３は、機能制御部２１からＥｎａｂｌｅ信号が入力されると、ＶｏＩＰ（Ｖｏｉｃｅ  ｏｖｅｒ  Ｉｎｔｅｒｎｅｔ  Ｐｒｏｔｏｃｏｌ）規格に基づいて、ホームゲートウェイ１に接続されている電話機と音声通信を行う。その為、電話機能部１３は、交換機インターフェースである一般的なＳＬＩＣ（Ｓｕｂｓｃｒｉｂｅｒ  Ｌｉｎｅ  Ｉｎｔｅｒｆａｃｅ  Ｃｉｒｃｕｉｔ）や一般的な音声ＣＯＤＥＣ機能を備えてもよい。
【００５９】
電話機能部１３は、機能制御部２１からＤｉｓａｂｌｅ信号が入力されると、Ｅｎａｂｌｅ信号を受信するまで、音声通信を停止する。
【００６０】
（３−２−４−３）Ｅｔｈｅｒｎｅｔ通信部１４の機能
Ｅｔｈｅｒｎｅｔ通信部１４は、機能制御部２１からＥｎａｂｌｅ信号が入力されると、Ｅｔｈｅｒｎｅｔ（登録商標）規格に基づいて、接続するＰＣやインターネット上の装置（図示せず）とパケット通信を行う。
【００６１】
Ｅｔｈｅｒｎｅｔ通信部１４は、機能制御部２１からＤｉｓａｂｌｅ信号が入力されると、Ｅｎａｂｌｅ信号を受信するまで、パケット通信を停止する。
【００６２】
Ｅｔｈｅｒｎｅｔ通信部１４は、パケット通信によって受信したパケットから電源アダプタのＩＤを抽出すると、抽出した電源アダプタのＩＤを比較判定部１７に出力する。
【００６３】
なお、Ｅｔｈｅｒｎｅｔ通信部１４は、Ｌａｙｅｒ２  Ｓｗｉｔｃｈを備えてもよい。
【００６４】
（３−２−４−４）ＵＳＢ接続機能部１５の機能
ＵＳＢ接続機能部１５は、ＵＳＢ  Ｍａｓｓ  Ｓｔｏｒａｇｅ  Ｃｌａｓｓ対応のＯＳ（Ｏｐｅｒａｔｉｎｇ  Ｓｙｓｔｅｍ）と、ＵＳＢポートを備える。ＵＳＢ接続機能部１５は、Ｅｎａｂｌｅ信号が入力された後、上述のＯＳによって、自身に備わるＵＳＢポートにＵＳＢメモリが挿入されたことを認識すると、そのＵＳＢメモリに記憶されている情報を読み出す。ＵＳＢ接続機能部１５は、読み出した電源アダプタのＩＤをＣＰＵ１１に出力してもよい。
【００６５】
ＵＳＢ接続機能部１５は、機能制御部２１からＤｉｓａｂｌｅ信号が入力されると、Ｅｎａｂｌｅ信号を受信するまで、何もしない。
【００６６】
また、ＵＳＢ接続機能部１５は、Ｅｎａｂｌｅ信号が入力されると、ホームゲートウェイ１に備わるＵＳＢケーブルの電源供給用の端子に電流を流す。ＵＳＢ接続機能部１５は、（電流を検知した）スマートフォン２との間でＵＳＢ接続を確立させると、スマートフォン２から電源アダプタのＩＤをＵＳＢ規格に準拠して受信する。ＵＳＢ接続機能部１５は、受信した電源アダプタのＩＤを比較判定部１７に出力する。
【００６７】
［動作の説明］
次に、本実施形態のシステムの動作を以下に説明する。図５は、本発明の第１の実施の形態におけるシステムの動作を説明する為の図である。
【００６８】
（１）ホームゲートウェイ１への電力供給の開始
まず、ホームゲートウェイ１のユーザは、図示していないが、自身が保持する電源アダプタの中からホームゲートウェイ１に接続する電源アダプタを選択する。以下、ホームゲートウェイ１のユーザは電源アダプタ３を選択したものとして説明を続ける。
【００６９】
次に、ホームゲートウェイ１のユーザは、図５に示されるように、選択した電源アダプタ３のＤＣプラグ（電源）をホームゲートウェイ１の電源入力部２０に接続し、ホームゲートウェイ１に電力を入力する（Ｓ１）。
【００７０】
このとき、ホームゲートウェイ１の電源制御部１９と電源生成・供給部１８は、以下のＳ１１０、Ｓ１１１を実施する。図６は、本発明の第１の実施の形態におけるシステムに備わるホームゲートウェイの動作の詳細（処理Ｓ１の詳細）を説明する為の図である。
【００７１】
まず、電源制御部１９は、図６に示されるように、電力が電源アダプタ３のＤＣプラグから入力されると、その電力を電源生成・供給部１８に出力する（Ｓ１１０）。
【００７２】
次に、電源生成・供給部１８は、電源制御部１９から電力が入力されると、その電力をホームゲートウェイ１の各機能部に出力する（Ｓ１１１）。
【００７３】
上述のＳ１１１の結果、ホームゲートウェイ１の各機能部へ電力が供給される。
【００７４】
（２）ホームゲートウェイ１の起動
次に、電力が入力されたホームゲートウェイ１は、図５に示されるように、無線ＬＡＮ通信部１６のみを動作可能な状態にし、その他の通信部（すなわち、電話機能部１３、Ｅｔｈｅｒｎｅｔ通信部１４、及びＵＳＢ接続機能部１５）は動作不可状態にする（Ｓ２）。
【００７５】
当面動作の必要がない通信部１３、１４、１５については動作させないことで、ホームゲートウェイ１の電力の消費を抑えるためである。
【００７６】
上述のＳ２は、具体的には、ホームゲートウェイ１の各機能部が以下のＳ１２０〜Ｓ１２４を実施することで実現される。図７は、本発明の第１の実施の形態におけるシステムに備わるホームゲートウェイの動作の詳細（処理Ｓ２の詳細）を説明する為の図である。
【００７７】
（２−１）上述のＳ２の具体的な動作
まず、ＣＰＵ１１は、電力が供給されると、図７に示されるように、無線ＬＡＮ通信部１６のみを動作させることを示す信号（すなわち、機能制限信号）を機能制御部２１に出力する（Ｓ１２０）。
【００７８】
次に、機能制御部２１は、電力が供給され、機能制限信号が入力されると、無線ＬＡＮ通信部１６に対して、動作を許可するＥｎａｂｌｅ信号を出力し、他の通信部１３、１４、１５に対しては、動作を許可しないＤｉｓａｂｌｅ信号を出力する（Ｓ１２１）。
【００７９】
次に、無線ＬＡＮ通信部１６は、電力が供給され、Ｅｎａｂｌｅ信号が機能制御部２１から入力されると、ＩＥＥＥ８０２．１１で規定される規格に準拠してビーコン信号を周期的にスマートフォン２へ送信する（Ｓ１２２）。
【００８０】
次に、無線ＬＡＮ通信部１６は、自身に備わる計時機能（以下、「タイマー」という）を起動し、時間の計測を開始する（Ｓ１２３）。
【００８１】
電力が供給され始めたときからの時間を計測する為である。計測された時間は、後述のＳ４で使用される。なお、無線ＬＡＮ通信部１６は、上述のＳ１２３の処理を、上述のＳ１２２で電力が供給された直後に実施してもよい。
【００８２】
一方、他の通信部１３、１４、１５は、機能制御部２１からＤｉｓａｂｌｅ信号が入力されると、Ｅｎａｂｌｅ信号を受信するまで、何の動作も行わない（Ｓ１２４）。
【００８３】
上述の結果、ホームゲートウェイ１は、無線ＬＡＮ通信機能のみを起動させ、その他の通信機能は動作させないことで、機能を制限し、電力消費を抑える。図８は、本発明の第１の実施の形態におけるシステムに備わるホームゲートウェイの機能を制限した時の様子を示す図である。図８は、無線ＬＡＮ通信のみを実施できることを示している。
【００８４】
（３）スマートフォン２との接続
次に、ホームゲートウェイ１からビーコン信号を受信したスマートフォン２は、図５に示されるように、ＩＥＥＥ８０２．１１で規定される規格に準拠して、ホームゲートウェイ１との間で通信を確立させる（Ｓ３）。
【００８５】
上述のＳ３は、スマートフォン２とホームゲートウェイ１の各機能部が以下のＳ１３０、Ｓ１３１を実施することで実現される。図９は、本発明の第１の実施の形態におけるシステムに備わるホームゲートウェイの動作の詳細（処理Ｓ３の詳細）を説明する為の図である。
【００８６】
（３−１）上述のＳ３の具体的な動作
まず、スマートフォン２は、図９に示されるように、ホームゲートウェイ１からビーコン信号を受信すると、ＩＥＥＥ８０２．１１で規定される規格に準拠して、アクセス要求信号をホームゲートウェイ１の無線ＬＡＮ通信部１６に送信する（Ｓ１３０）。
【００８７】
上述のアクセス要求信号は、ＩＥＥＥ８０２．１１に規定されるＰｒｏｂｅ  Ｒｅｑｕｅｓｔであってもよい。
【００８８】
ホームゲートウェイ１の無線ＬＡＮ通信部１６は、アクセス要求信号を受信すると、スマートフォン２との間でＩＥＥＥ８０２．１１に規定される周知の認証やアソシエーション処理を行って通信を確立させる（Ｓ１３１）。
【００８９】
（４）ホームゲートウェイ１の待ち受け動作
次に、ホームゲートウェイ１の無線ＬＡＮ通信部１６は、通信を確立させると、図５に示されるように、接続完了を示す信号をスマートフォン２に送信し、スマートフォン２から電源アダプタ３のＩＤが送信されてくるのを所定の時間、待つ（Ｓ４）。
【００９０】
具体的には、無線ＬＡＮ通信部１６は、電源アダプタ３のＩＤをスマートフォン２から受信するまで、上述のＳ１２３で起動したタイマーによって計測されている時間（すなわち、電力が供給されたときからの時間）が所定の時間以上であるか否か、判別を繰り返す。
【００９１】
上述の所定の時間は、ホームゲートウェイ１のユーザによって、予め無線ＬＡＮ通信部１６に設定される。ホームゲートウェイ１のユーザは、自身が保持する電源アダプタのうち、出力電力が最も大きい電源アダプタをホームゲートウェイ１に接続したときに、ホームゲートウェイ１が発熱や故障を起こさない任意の時間を、所定の時間として無線ＬＡＮ通信部１６に設定する。所定の時間は、スマートフォン２のユーザが（後述のＳ５で）ＱＲコード３２を撮影できる数分程度の時間が望ましい。ホームゲートウェイ１のユーザは、ホームゲートウェイ１が発熱や故障を起こさない時間を、以下の（４−１）の通りに求めてもよい。
【００９２】
（４−１）ホームゲートウェイ１が発熱や故障を起こさない時間の求め方
（４−１−１）求め方１
（ｉ）まず、ホームゲートウェイ１のユーザは、ホームゲートウェイ１への最大入力電力（単位はワット）を求める。
【００９３】
具体的には、ホームゲートウェイ１のユーザは、自身が保持する電源アダプタ毎に、カタログ等を確認し、出力電力（単位はワット）を求める。電源アダプタの出力電力は、ホームゲートウェイ１への入力電力となるからである。ホームゲートウェイ１のユーザは、求めた出力電力のうち、最大の出力電力をホームゲートウェイ１への最大入力電力（単位はワット）とする。
【００９４】
（ｉｉ）次に、ホームゲートウェイ１のユーザは、発熱や故障が発生することなく、ホームゲートウェイ１へ供給することが可能な電力量（以下、「供給可能電力量」という）を求める。具体的には、ホームゲートウェイ１のユーザは、カタログ等を確認してホームゲートウェイ１の定格消費電力を求め、求めた定格消費電力を供給可能電力量とみなす。
【００９５】
（ｉｉｉ）次に、ホームゲートウェイ１のユーザは、（ｉｉ）で求めた供給可能電力量を、（ｉ）で求めた最大入力電力で除算し、除算した値（単位は秒）をホームゲートウェイ１が発熱や故障を起こさない時間（以下、「電力供給可能時間」という）とする。
【００９６】
（４−１−２）求め方２
また、ホームゲートウェイ１の製造者は、入力電力１Ｗ毎に、それが入力されてもホームゲートウェイ１が発熱や故障を起こさない時間、すなわち電力供給可能時間を実際に測定し、それらを対応づけた対応表を公表してもよい。その場合、ホームゲートウェイ１のユーザは、自身が保持する電源アダプタのうち、出力電力が最も大きい電源アダプタについて、その出力電力に対応する電力供給可能時間を上述の対応表から求める。ホームゲートウェイ１のユーザは、除算計算を実施しない分、上述の（ｉ）〜（ｉｉｉ）よりも早く電力供給可能時間を求めることができる。
【００９７】
（４−２）用語についての説明
以下、上述のタイマーによって計測されている時間が所定の時間以上になることを、「タイマー満了」というものとする。
【００９８】
（５）スマートフォン２のＱＲコード読み取り動作
スマートフォン２は、上述の接続完了を示す信号を受信すると、「ＱＲコードを読み取ってください」と画面に表示し、スマートフォン２のカメラによりＱＲコード３２が撮影されると、ＱＲコード３２の画像から情報（電源アダプタのＩＤ等）を読み取る（Ｓ５）。
【００９９】
ＱＲコード３２は、「ＱＲコードを読み取ってください」との表示を見たスマートフォン２のユーザによって撮影されてもよい。なお、スマートフォン２は、ＱＲコード３２から情報（電源アダプタのＩＤ等）を読み取る際には、ＩＳＯ／ＩＥＣ  １８００４規格に従って情報（電源アダプタのＩＤ等）を読み取るものとする。
【０１００】
次に、スマートフォン２は、ＱＲコード３２から読み取った電源アダプタのＩＤを、ＩＥＥＥ８０２．１１に規定される規格に準拠して、ホームゲートウェイ１の無線ＬＡＮ通信部１６に送信する（Ｓ６）。
【０１０１】
（５−１）Ｓ６の補足説明（アプリによるＳ６の実施）
なお、上述のＳ５、Ｓ６は、スマートフォン２本体ではなく、スマートフォン２に予めダウンロードされたアプリ（以下、「電源認証用アプリ」という）が実施してもよい。スマートフォン２のユーザは、電源認証用アプリを起動させ、アプリの指示に従って、ＱＲコード３２から電源アダプタのＩＤを読み取り、ホームゲートウェイ１の無線ＬＡＮ通信部１６に送信する。図１０は、スマートフォン２の画面表示の一例を示した図である。図１０に示されるように、電源認証用アプリは、「ＱＲコードを読取って下さい」とスマートフォン２の画面に表示し、ＱＲコードの読み取りを、スマートフォン２のユーザに促す。また、電源認証用アプリは、読み取った情報（電源アダプタのＩＤ等）を表示してもよい。
【０１０２】
（６）ホームゲートウェイ１内のＩＤ転送動作
（６−１）受信処理
次に、上述のＳ６の後、ホームゲートウェイ１の無線ＬＡＮ通信部１６は、タイマー満了前にスマートフォン２から電源アダプタのＩＤを受信すると、タイマーを停止し、図５に示されるように、受信した電源アダプタのＩＤをＣＰＵ１１７に出力する（Ｓ７）。
【０１０３】
なお、上述のＳ７において、無線ＬＡＮ通信部１６は、スマートフォン２から電源アダプタのＩＤを受信する際には、ＩＥＥＥ８０２．１１に規定される規格に準拠して電源アダプタのＩＤを受信するものとする。
【０１０４】
ＣＰＵ１１に無線ＬＡＮ通信部１６から出力された電源アダプタのＩＤは、上述の「（３−２−２−１）無線ＬＡＮ通信部１６の機能」で説明した通り、比較判定部１７に転送される。
【０１０５】
（６−２）未受信処理
上述のＳ７において、タイマー満了前に電源アダプタのＩＤを受信しない場合、つまり、所定の時間以上、電源アダプタのＩＤを受信しない場合には、無線ＬＡＮ通信部１６は、電力供給の遮断を要求する信号をＣＰＵ１１７に出力する。ホームゲートウェイ１への電力の供給を遮断する為である。これにより、ホームゲートウェイ１に電力が供給され続け、ホームゲートウェイ１が発熱したり故障したりするのを防ぐ。なお、無線ＬＡＮ通信部１６は、ＩＤを受信しないことを示すＬＥＤを備え、電力供給の遮断を要求する信号を出力する前に、このＬＥＤを点灯させてもよい。
【０１０６】
上述の電力供給の遮断を要求する信号が出力された後の本システムの動作詳細は、後述の「（１０）上述のＳ７で遮断を示す信号が出力された場合の動作」で説明する。
【０１０７】
（６−３）以降の動作に関する説明
以下、上述の「（６−１）受信処理」で説明したように、無線ＬＡＮ通信部１６がスマートフォン２から電源アダプタのＩＤを受信してＣＰＵ１１７に出力し、ＣＰＵ１１７が電源アダプタのＩＤを比較判定部１７に転送したものとして説明を続ける。
【０１０８】
（７）接続する電源アダプタが正規の電源アダプタかどうかを判別する動作（ホームゲートウェイ１の動作）
次に、ホームゲートウェイ１の比較判定部１７は、電源アダプタのＩＤがＣＰＵ１１から入力されると、図５に示されるように、その電源アダプタのＩＤが正規の電源アダプタのＩＤであるか否かを判別する（Ｓ８）。
【０１０９】
具体的には、ホームゲートウェイ１の比較判定部１７は、電源アダプタのＩＤが入力されると、メモリブロック１２から正規の電源アダプタのＩＤを取得し、入力された電源アダプタのＩＤが、予め設定されている正規の電源アダプタのＩＤか否かを判別する。
【０１１０】
（８）接続する電源アダプタが正規の電源アダプタであると判別したときの動作
次に、ホームゲートウェイ１は、上述のＳ８の判定の結果、入力された電源アダプタのＩＤが正規の電源アダプタのＩＤと判別した場合、接続された電源アダプタは正規の電源アダプタであるので、Ｓ２で機能制限を行った全ての通信機能部を動作させる（Ｓ９）。
【０１１１】
上述のＳ９は、ホームゲートウェイ１の各機能部が以下のＳ１４０〜Ｓ１４３を実施することで実現される。図１１は、本発明の第１の実施の形態におけるシステムに備わるホームゲートウェイの動作の詳細（処理Ｓ９の詳細）を説明する為の図である。
【０１１２】
（８−１）上述のＳ９の具体的な動作
まず、ホームゲートウェイ１の比較判定部１７は、上述のＳ８の判定の結果、入力された電源アダプタのＩＤが正規の電源アダプタのＩＤと判別した場合、図１１に示されるように、ＩＤ一致を示す信号をＣＰＵ１１に出力する（Ｓ１４０）。
【０１１３】
次に、ＣＰＵ１１は、ＩＤ一致を示す信号が比較判定部１７から入力されると、機能の開放を指示する信号を機能制御部２１に出力する（Ｓ１４１）。
【０１１４】
次に、機能制御部２１は、機能の開放を指示する信号がＣＰＵ１１から入力されると、他の通信部１３、１４、１５に対して、Ｅｎａｂｌｅ信号を出力する（Ｓ１４２）。
【０１１５】
他の通信部１３、１４、１５は、機能制御部２１からＥｎａｂｌｅ信号が入力されると、それぞれ、上述の「（３−２−４）その他の機能部」で説明した音声通信やパケット通信等を実施する（Ｓ１４３）。
【０１１６】
（９）接続する電源アダプタが正規の電源アダプタでないと判別したときの動作
次に、ホームゲートウェイ１は、上述のＳ８で正規の電源アダプタのＩＤでないと判別した場合、接続された電源アダプタは正規の電源アダプタでない為、図５に示されるように、誤接続を示すＬＥＤを点灯の上、電源アダプタ２からの電力供給を遮断する（Ｓ１０）。
【０１１７】
上述のＳ１０は、ホームゲートウェイ１の各機能部が以下のＳ１５０〜Ｓ１５３を実施することで実現される。図１２は、本発明の第１の実施の形態におけるシステムに備わるホームゲートウェイの動作詳細（処理Ｓ１０の詳細）を説明する為の図である。
【０１１８】
（９−１）上述のＳ１０の具体的な動作
まず、比較判定部１７は、上述のＳ８で、入力された電源アダプタのＩＤが正規の電源アダプタのＩＤと一致しない場合、図１２に示されるように、ＩＤ不一致を示す信号をＣＰＵ１１に出力する（Ｓ１５０）。
【０１１９】
次に、ＣＰＵ１１は、ＩＤ不一致を示す信号が比較判定部１７から入力されると、誤接続を示すＬＥＤの点灯を指示する点灯信号を点灯部２２に出力し、さらに、電力供給の遮断を要求する信号を電源制御部１９に出力する（Ｓ１５１）。
【０１２０】
ＣＰＵ１１は、点灯信号を出力してから所定時間後に、遮断を要求する信号を出力してもよい。所定の時間は、ホームゲートウェイ１のユーザによって予めＣＰＵ１１に設定される。
【０１２１】
次に、点灯部２２は、点灯信号がＣＰＵ１１から入力されると、自身に備わる誤接続を示すＬＥＤを点灯させる（Ｓ１５２）。
【０１２２】
誤接続であることをホームゲートウェイ１のユーザに知らせる為である。ホームゲートウェイ１には、ＬＥＤの上に「このＬＥＤが点灯したら誤った電源アダプタを接続しています」という文字が表記されていてもよい。
【０１２３】
一方、電源制御部１９は、上述のＳ１５１によって、電力供給の遮断を要求する信号がＣＰＵ１１から入力されると、電源生成・供給部１８への電力の供給を停止し、遮断する（Ｓ１５３）。
【０１２４】
（９−２）上述のＳ１５３の補足説明（遮断と遮断解除について）
なお、電源制御部１９は、電源生成・供給部１８への電力の供給を遮断する為に、電源生成・供給部１８との間に開閉器を備えていてもよい。その場合、電源制御部１９は、電力供給の遮断を要求する信号が入力されると、開閉器を開く。
【０１２５】
また、電源制御部１９は、上述のＳ１５３の遮断した状態を、電源アダプタ３から電力が供給されなくなるまで、保持してもよい。その場合、電源制御部１９にはバネが備わり、電源制御部１９は、電力が供給されている間にバネを縮ませ、縮ませた状態を電力によって保持する。電源制御部１９は、電源アダプタ３から電力供給がされなくなると、バネを縮ませた状態が保持できなくなり、バネの反発によって開閉器を閉じて、遮断した状態を解除してもよい。
【０１２６】
さらに、電源制御部１９は、電力供給の遮断を要求する信号がＣＰＵ１１から入力されると、電源入力部２０との間に備わる開閉器も開いて、ホームゲートウェイ１への電力の供給を完全に遮断してもよい。
【０１２７】
（１０）上述のＳ７で遮断を示す所定の番号が出力された場合の動作
上述の「（６−２）未受信処理」で説明したように、無線ＬＡＮ通信部１６が電力供給の遮断を要求する信号をＣＰＵ１１に出力した場合、ＣＰＵ１１は、その信号を電源制御部１９に出力する。電源制御部１９は、電力供給の遮断を要求する信号が入力されると、電源入力部２０との間に備わる開閉器を開いて、接続される電源アダプタからホームゲートウェイ１へ供給される電力を遮断する。
【０１２８】
（１１）ＱＲコード３２について
図１３は、本発明の第１の実施の形態におけるシステムの電源アダプタに表示されるバーコードの一例を示す図である。
【０１２９】
本実施形態のシステムは、ＱＲコード３２の代わりに、バーコード３４から電源アダプタ３のＩＤを読み取ってもよい。その場合、バーコード３４は、電源アダプタ３を示すＩＤを示す一次元のコードであり、スマートフォン２は、周知のＣＣＤ（Ｃｈａｒｇｅ  Ｃｏｕｐｌｅｄ  Ｄｅｖｉｃｅ）方式にてバーコード（の電源アダプタ３のＩＤ）を読み取る機能を備える。
【０１３０】
スマートフォン２は、ＣＣＤ方式にてバーコードから電源アダプタのＩＤを読み取った後、ホームゲートウェイ１から接続完了を示す信号を受信すると、上述のＳ６と同様、読み取った電源アダプタのＩＤをホームゲートウェイ１の無線ＬＡＮ通信部１６に出力する。
【０１３１】
（１２）ホームゲートウェイ１とスマートフォン２について
上記では、本実施形態のシステムにホームゲートウェイ１が備わる場合を例に説明を行った。本実施形態のシステムは、ホームゲートウェイ１の代わりに、上述の「（２−３）ホームゲートウェイ１の機能」で説明した機能を有するのであれば、どのような通信装置でも備えることができる。
【０１３２】
さらに、上記では、本実施形態のシステムにスマートフォン２が備わる場合を例に説明を行った。本実施形態のシステムは、スマートフォン２の代わりに、上述の「（２−２）スマートフォン２の機能」を持つ端末であれば、どのような端末でも備えることができる。
【０１３３】
［効果の説明］
本実施形態によれば、システムは運用コストを十分に低減することができる。
【０１３４】
なぜなら、本実施形態のシステムでは、電源アダプタに表示されたＱＲコードから電源アダプタの識別情報を読み取るので、特許文献１の電力供給システムと異なり、識別情報を格納する為のメモリを電源アダプタに実装する必要がないからである。持ち運ばれる電源アダプタに壊れやすいメモリを実装する必要がないので、その分、修理する回数が減り、運用コストを低減することができる。
【０１３５】
さらに、ホームゲートウェイに電源アダプタを接続した者は、正規ではない電源アダプタをホームゲートウェイに誤接続したことを瞬時に知ることができる。
【０１３６】
なぜなら、ＱＲコードの撮影を前提とするが、本実施形態のシステムは、正規ではない電源アダプタがホームゲートウェイに誤接続されたときには、誤接続を示すＬＥＤを点灯するからである。
【０１３７】
なお、本実施形態のシステムは、特許文献１の電力供給システムと同様に、正規ではない電源アダプタが誤接続されたとき、ホームゲートウェイが発熱したり、故障したりすることを防止することができる。正規ではない電源アダプタが誤接続されたときには、本実施形態のシステムのホームゲートウェイが、自装置に電源アダプタから供給される電力を遮断するからである。
【０１３８】
≪第２の実施の形態≫
第１の実施形態のシステムのスマートフォン２は、無線ＬＡＮ通信を用いて電源アダプタのＩＤをホームゲートウェイ１に通知した。第２の実施形態のシステムのスマートフォン５は、ＵＳＢ接続を用いて電源アダプタのＩＤをホームゲートウェイ４に通知する。
【０１３９】
なお、本実施形態のシステムが奏する効果は、電源アダプタのＩＤをホームゲートウェイに通知する方法が異なるだけなので、第１の実施形態のシステムと同じである。また、後述する第３、第４の実施形態のシステムも、電源アダプタのＩＤをホームゲートウェイに通知する方法が異なるだけで、第１の実施形態のシステムと同じ効果を奏する。
【０１４０】
以下、本実施形態のシステムの構成と動作について説明を行う。
【０１４１】
（１）本実施形態のシステムの構成
図１４は、本発明の第２の実施の形態におけるシステムの構成例を示す図である。
【０１４２】
本実施形態のシステムは、図１４に示されるように、ホームゲートウェイ１とスマートフォン２の代わりに、ホームゲートウェイ４とスマートフォン５を備える。スマートフォン５は、ホームゲートウェイ４のＵＳＢ接続機能部１５とＵＳＢケーブルを介して接続される。
【０１４３】
上述した以外の構成は、第１の実施形態のシステムと同じであるので、同一の符号を付して説明を省略する。
【０１４４】
（２）第２の実施形態のシステムの動作
図１５は、本発明の第２の実施の形態におけるシステムの動作を説明する為の図である。
【０１４５】
（２−１）ホームゲートウェイ４の起動
上述のＳ１の後、ホームゲートウェイ４は、図１５に示されるように、ＵＳＢ接続機能部１５のみを動作可能な状態にし、その他の通信部（すなわち、電話機能部１３、Ｅｔｈｅｒｎｅｔ通信部１４、及び無線ＬＡＮ通信部１６）は動作不可状態にする（Ｓ１２）。
【０１４６】
上述のＳ１２は、ホームゲートウェイ４の各機能部が以下のＳ２２０〜Ｓ２２３を実施することで実現される。以下のＳ２２０〜Ｓ２２３は、信号の出力先等が異なるが、上述のＳ１２０〜Ｓ１２３とほぼ同じ動作である。
【０１４７】
（２−１−１）上述のＳ１２の具体的な動作
まず、ホームゲートウェイ４のＣＰＵ１１は、電力が供給されると、ＵＳＢ接続機能部１５のみを動作させることを示す信号（すなわち、機能制限信号）を機能制御部２１に出力する（Ｓ２２０）。
【０１４８】
次に、ホームゲートウェイ４の機能制御部２１は、機能制限信号が入力されると、ＵＳＢ接続機能部１５に対して、Ｅｎａｂｌｅ信号を出力し、他の通信部１３、１４、１６に対しては、Ｄｉｓａｂｌｅ信号を出力する（Ｓ２２１）。
【０１４９】
次に、ホームゲートウェイ４のＵＳＢ接続機能部１５は、Ｅｎａｂｌｅ信号が機能制御部２１から入力されると、ＵＳＢケーブルの電源供給用の端子に電流を流す（Ｓ２２２）。
【０１５０】
一方、他の通信部１３、１４、１６は、機能制御部２１からＤｉｓａｂｌｅ信号が入力されると、Ｅｎａｂｌｅ信号を受信するまで、何の動作も行わない（Ｓ２２３）。
【０１５１】
ホームゲートウェイ４の電力消費を抑える為である。
【０１５２】
（２−２）スマートフォン５とのＵＳＢ接続
次に、スマートフォン５は、図１５に示されるように、ＵＳＢケーブルから電流が供給されると、周知のＵＳＢ規格に基づいてホームゲートウェイ４とＵＳＢ接続を確立させ、ＵＳＢ接続が確立したことを示す信号をホームゲートウェイ４に出力する（Ｓ１３）。
【０１５３】
具体的には、スマートフォン５は、ＵＳＢケーブルから電流が供給されると、周知のＵＳＢ規格に規定されるリンクトレーニングを実施し、ホームゲートウェイ４との間で規定のパケットを送受信してＵＳＢ接続を確立させる。さらに、スマートフォン５は、ＵＳＢ接続を確立させると、ＵＳＢ接続が確立したことを示す信号（以下、「確立信号」という）を、ＵＳＢ規格に準拠してホームゲートウェイ４に出力する。
【０１５４】
次に、ホームゲートウェイ４のＵＳＢ接続機能部１５は、確立信号を受信にすると、ＵＳＢ規格に準拠して、接続完了を示す信号をスマートフォン５に送信し、スマートフォン５から電源アダプタ３のＩＤが送信されてくるのを待つ（Ｓ１４）。
【０１５５】
（２−３）ＱＲコードの読み取り
次に、スマートフォン５は、上述の接続完了を示す信号を受信すると、上述のＳ５を実施し、ＱＲコード３２から電源アダプタのＩＤを読み取る（Ｓ５）。
【０１５６】
次に、スマートフォン５は、読み取った電源アダプタのＩＤを、ＵＳＢ規格に準拠してホームゲートウェイ１のＵＳＢ接続機能部１５に通知する（Ｓ１６）。
【０１５７】
（２−４）ＩＤ転送動作
次に、ホームゲートウェイ１のＵＳＢ接続機能部１５は、スマートフォン５から電源アダプタのＩＤを受信すると、Ｓ７と同様、受信した電源アダプタのＩＤをＣＰＵ１１に出力する（Ｓ１７）。
【０１５８】
（２−５）Ｓ１７後のホームゲートウェイ４の動作
その後、ホームゲートウェイ４は、上述のＳ８の判別を行い、Ｓ９、又はＳ１０を実施する。そして、ホームゲートウェイ４は、接続された電源アダプタが正規の電源アダプタでないと判別したときには、Ｓ１０を実施し、自身に供給される電力を遮断する。
【０１５９】
上述した以外の動作は、第１の実施形態のシステムと同じであるので、同一の符号を付して説明を省略する。
【０１６０】
［効果の説明］
第２の実施形態のシステムの効果は、第１の実施形態のシステムと同じである。
【０１６１】
≪第３の実施の形態≫
第１、２の実施形態のシステムでは、スマートフォン２、５が、無線ＬＡＮ通信、又はＵＳＢ接続を用いて電源アダプタのＩＤをホームゲートウェイに通知した。第３の実施形態のシステムでは、スマートフォン７が、パケット通信を用いて電源アダプタのＩＤをホームゲートウェイ６に通知する。
【０１６２】
本実施形態のシステムが奏する効果は、第１、２の実施形態のシステムと同じである。
【０１６３】
（１）本実施形態のシステムの構成と機能
図１６は、本発明の第３の実施の形態におけるシステムの構成例を示す図である。
【０１６４】
本実施形態のシステムは、図１６に示されるように、ホームゲートウェイ１とスマートフォン２の代わりに、ホームゲートウェイ６とスマートフォン７を備える。スマートフォン７は、ホームゲートウェイ６のＥｔｈｅｒｎｅｔ通信部１４とイーサーネットケーブル（以下、「ＬＡＮケーブル」という）（イーサーネットは登録商標）を介して接続される。
【０１６５】
上述した以外の構成は、第１の実施形態のシステムと同じであるので、同一の符号を付して説明を省略する。
【０１６６】
（２）第３の実施形態のシステムの動作
図１７は、本発明の第３の実施の形態におけるシステムの動作を説明する為の図である。
【０１６７】
（２−１）ホームゲートウェイ６の起動
上述のＳ１の後、ホームゲートウェイ６は、図１７に示されるように、Ｅｔｈｅｒｎｅｔ通信部１４のみを動作可能な状態にし、その他の通信部（すなわち、電話機能部１３、ＵＳＢ接続機能部１５、及び無線ＬＡＮ通信部１６）は動作不可状態にする（Ｓ２２）。
【０１６８】
上述のＳ２２は、ホームゲートウェイ６の各機能部が以下のＳ３２０〜Ｓ３２３を実施することで実現される。
【０１６９】
なお、以下のＳ３２０〜Ｓ３２３は、信号の出力先等が異なるが、上述のＳ１２０〜Ｓ１２３とほぼ同じ動作である。以下のＳ３２０〜Ｓ３２３を実施した結果、Ｅｔｈｅｒｎｅｔ通信部１４は、接続完了を示すパケットをスマートフォン４に送信することとなる。
【０１７０】
（２−１−１）上述のＳ２２の具体的な動作
まず、ホームゲートウェイ６のＣＰＵ１１は、電力が供給されると、Ｅｔｈｅｒｎｅｔ通信部１４のみを動作させることを示す信号（すなわち、機能制限信号）を機能制御部２１に出力する（Ｓ３２０）。
【０１７１】
次に、ホームゲートウェイ６の機能制御部２１は、機能制限信号が入力されると、Ｅｔｈｅｒｎｅｔ通信部１４に対して、Ｅｎａｂｌｅ信号を出力し、他の通信部１３、１５、１６に対しては、Ｄｉｓａｂｌｅ信号を出力する（Ｓ３２１）。
【０１７２】
次に、ホームゲートウェイ６のＥｔｈｅｒｎｅｔ通信部１４は、Ｅｎａｂｌｅ信号が機能制御部２１から入力されると、接続完了を示すパケットをスマートフォン７に送信する（Ｓ３２２）。
【０１７３】
一方、他の通信部１３、１５、１６は、機能制御部２１からＤｉｓａｂｌｅ信号が入力されると、Ｅｎａｂｌｅ信号を受信するまで、何の動作も行わない（Ｓ３２３）。
【０１７４】
ホームゲートウェイ６の電力消費を抑える為である。
【０１７５】
（２−２）ＱＲコードの読み取り
次に、スマートフォン７は、上述の接続完了を示すパケットを受信すると、図１７に示されるように、上述のＳ５を実施し、電源アダプタのＩＤを読み取る（Ｓ５）。
【０１７６】
次に、スマートフォン７は、読み取った電源アダプタのＩＤを、電源アダプタのＩＤをパケットとしてホームゲートウェイ６のＥｔｈｅｒｎｅｔ通信部１４に通知する（Ｓ２４）。
【０１７７】
（２−３）ＩＤ転送動作
次に、ホームゲートウェイ６のＥｔｈｅｒｎｅｔ通信部１４は、スマートフォン７からパケットを受信すると、パケットから電源アダプタのＩＤを抽出し、ＣＰＵ１１に出力する（Ｓ２５）。
【０１７８】
（２−４）Ｓ２５後のホームゲートウェイ１の動作
その後、ホームゲートウェイ６は、上述のＳ８の判別を行い、Ｓ９、又はＳ１０を実施する。そして、ホームゲートウェイ６は、接続された電源アダプタが正規の電源アダプタでないと判別したときには、Ｓ１０を実施し、自身に供給される電力を遮断する。
【０１７９】
上述した以外の動作は、第１の実施形態のシステムと同じであるので、同一の符号を付して説明を省略する。
【０１８０】
［効果の説明］
第３の実施形態のシステムの効果は、第１の実施形態のシステムと同じである。
【０１８１】
≪第４の実施の形態≫
第１の実施形態のシステムでは、スマートフォン２が、無線ＬＡＮ通信を介して電源アダプタのＩＤをホームゲートウェイ１に通知した。第４の実施形態のシステムでは、スマートフォン８が、携帯電話網を介してホームゲートウェイ１に電源アダプタのＩＤを通知する。
【０１８２】
本実施形態のシステムが奏する効果は、第１の実施形態のシステムと同じである。
【０１８３】
（１）本実施形態のシステムの構成と機能
（１−１）本実施形態のシステムの構成
図１８は、本発明の第４の実施の形態におけるシステムの構成例を示す図である。
【０１８４】
本実施形態のシステムは、図１８に示されるように、スマートフォン２の代わりに、スマートフォン８を備える。さらに、本実施形態のシステムは、基地局を含む移動体通信網４０と、インターネット４１と、モデム４２を備える。
【０１８５】
スマートフォン２は、無線回線を介して移動体通信網４０の基地局に接続される。
【０１８６】
移動体通信網４０の基地局は、移動体通信網のＭＭＥや交換機（いずれも図示せず）を介して、インターネット４１に接続される。インターネット４１は、ＡＤＳＬ（Ａｓｙｍｍｅｔｒｉｃ  Ｄｉｇｉｔａｌ  Ｓｕｂｓｃｒｉｂｅｒ  Ｌｉｎｅ）を介してモデム４２と接続される。モデム４２は、ホームゲートウェイ１にＬＡＮケーブルを介して接続される。
【０１８７】
（１−２）ホームゲートウェイ１について
ホームゲートウェイ１には、ホームゲートウェイ１のユーザによって、ＱＲコード４３が表示される。ＱＲコード４３は、ホームゲートウェイ１に貼付されたシール上に表示されてもよい。
【０１８８】
上述のＱＲコード４３は、ホームゲートウェイ１のＭＡＣ（Ｍｅｄｉａ  Ａｃｃｅｓｓ  Ｃｏｎｔｒｏｌ  ａｄｄｒｅｓｓ）アドレス、ホームゲートウェイ１のＩＰアドレス、及びシリアル番号を符号化した二次元コードである。ＩＰは、Ｉｎｔｅｒｎｅｔ  Ｐｒｏｔｏｃｏｌ  ａｄｄｒｅｓｓの略称である。
【０１８９】
（１−２）本実施形態のシステムの各部位の機能
スマートフォン８は、「（２−２）スマートフォン２の機能」で説明した読取機能によって、ＱＲコード４３からホームゲートウェイ１のＭＡＣアドレスと、ホームゲートウェイ１のＩＰアドレスを読み取る。
【０１９０】
スマートフォン８は、ＱＲコード３２から読み取った電源アダプタのＩＤを、ホームゲートウェイ１宛てのパケットに含め、そのパケットを３ＧＰＰ規格に従って無線信号に変換し、移動体通信網４０の基地局に送信する。３ＧＰＰは、３ｒｄ  Ｇｅｎｅｒａｔｉｏｎ  Ｐａｒｔｎｅｒｓｈｉｐ  Ｐｒｏｊｅｃｔの略称である。なお、ホームゲートウェイ１宛てのパケットは、宛先ＩＰアドレスが（ＱＲコード４３から読み取った）ホームゲートウェイ１のＩＰアドレスである。
【０１９１】
移動体通信網４０の基地局は、一般的な基地局であって、３ＧＰＰ規格に従って受信した無線信号からホームゲートウェイ１宛てのパケットを抽出する。移動体通信網４０の基地局は、抽出したホームゲートウェイ１宛てのパケットを、移動体通信網のＭＭＥや交換機（図示せず）を介して、インターネット４１に送信する。
【０１９２】
インターネット４１は、ホームゲートウェイ１宛てのパケットをモデム４２に送信する。
【０１９３】
モデム４２は、ホームゲートウェイ１宛てのパケットを、ホームゲートウェイ１に送信する。
【０１９４】
（２）本実施形態のシステムの動作
図１９は、本発明の第４の実施の形態におけるシステムの動作を説明する為の図である。
【０１９５】
（２−１）ホームゲートウェイ１の起動と機能制限
上述のＳ１の後、ホームゲートウェイ１は、図１９に示されるように、Ｅｔｈｅｒｎｅｔ通信部１４のみを動作可能な状態にし、その他の通信部（すなわち、電話機能部１３、ＵＳＢ接続機能部１５、及び無線ＬＡＮ通信部１６）は動作不可状態にする（Ｓ３２）。
【０１９６】
具体的には、ホームゲートウェイ１の各機能部は、上述の「（２−１−１）上述のＳ２２の具体的な動作」で説明したＳ３２０〜Ｓ３２５を実施することで実現される。このとき、ホームゲートウェイ１のＥｔｈｅｒｎｅｔ通信部１４とスマートフォン８は、直接イーサーネットケーブルを介して接続される。Ｓ３２０〜Ｓ３２５を実施することで、Ｅｔｈｅｒｎｅｔ通信部１４は、接続完了を示すパケットをスマートフォン８に送信する。
【０１９７】
（２−２）ＱＲコードの読み取り
次に、スマートフォン８は、接続完了パケットを受信すると、「ホームゲートウェイ（装置）のＱＲコードを読み取って下さい」と画面に表示し、スマートフォン２のカメラによりＱＲコード４３が撮影されると、ＱＲコード４２の画像から情報を読み取る（Ｓ３３）。
【０１９８】
読み取った上述情報には、ホームゲートウェイ１のＭＡＣアドレス、ホームゲートウェイ１のＩＰアドレス、及びシリアル番号が含まれる。なお、スマートフォン８は、ＱＲコード４３の画像から情報（ホームゲートウェイ１のＭＡＣアドレス等）を読み取る際、ＩＳＯ／ＩＥＣ  １８００４規格に従って情報（ホームゲートウェイ１のＭＡＣアドレス等）を読み取る。
【０１９９】
次に、スマートフォン８は、「電源アダプタのＱＲコードを読み取ってください」と画面に表示し、上述のＳ５と同様、スマートフォン８のカメラによりＱＲコード３２が撮影されると、ＱＲコード３２の画像から情報（電源アダプタのＩＤ等）を読み取る（Ｓ３４）。
【０２００】
次に、スマートフォン８は、読み取った電源アダプタのＩＤを、ホームゲートウェイ１宛てのパケットに含め、そのパケットを３ＧＰＰ規格に従って無線信号に変換し、移動体通信網４０の基地局に送信する（Ｓ３５）。
【０２０１】
上述のホームゲートウェイ１宛てのパケットは、宛先ＩＰアドレスがホームゲートウェイ１のＩＰアドレス（ＱＲコード４３から読み取ったＩＰアドレス）となっているパケットである。
【０２０２】
（２−３）移動体通信網４０やインターネット４１のパケット転送動作
次に、図示していないが、移動体通信網４０の基地局は、３ＧＰＰ規格に従って無線信号からホームゲートウェイ１宛てのパケットを抽出し、抽出したホームゲートウェイ１宛てのパケットをインターネット４１に送信する。
【０２０３】
さらに、インターネット４１は、図示していないが、ホームゲートウェイ１宛てのパケットをモデム４２に送信し、モデム４２は、ホームゲートウェイ１宛てのパケットを、ホームゲートウェイ１に送信する。
【０２０４】
次に、ホームゲートウェイ１のＥｔｈｅｒｎｅｔ通信部１４は、モデム４２からホームゲートウェイ１宛てのパケットを受信すると、そのパケットから電源アダプタのＩＤを抽出し、ＣＰＵ１１に出力する（Ｓ３６）。
【０２０５】
（２−４）Ｓ３６後のホームゲートウェイ１の動作
その後、ホームゲートウェイ１は、上述のＳ８の判別を行い、Ｓ９、又はＳ１０を実施する。そして、ホームゲートウェイ１は、接続された電源アダプタが正規の電源アダプタでないと判別したときには、Ｓ１０を実施し、自身に供給される電力を遮断する。
【０２０６】
上述した以外の動作は、第１の実施形態のシステムと同じであるので、同一の符号を付して説明を省略する。
【０２０７】
［効果の説明］
第４の実施形態のシステムの効果は、第１の実施形態のシステムと同じである。
【０２０８】
≪第５の実施の形態≫
第１の実施形態のホームゲートウェイ１は、電源アダプタ３から電力の供給を受けているときに、雷等により電力の供給が瞬断し、その後、電力の供給が再開された場合、再度、正規の電源アダプタかどうかの判別をしなければならない。第１の実施形態のホームゲートウェイ１は、電力の供給がされると、毎回、接続されている電源アダプタが正規の電源アダプタか否かの判別（以下、「接続判別」という）を行うからである。
【０２０９】
本実施形態のシステムのホームゲートウェイ９は、電源アダプタ３から電力の供給を受けているときに、電源アダプタ３のＩＤを記憶し、電力の供給が再開したときに、正規の電源アダプタ３のＩＤを記憶している場合には、上述の接続判別を省略する。
【０２１０】
その結果、本実施形態のシステムのホームゲートウェイ９は、正規の電源アダプタ３から電力の供給が瞬断し、その後、再開されたとき、第１の実施形態のホームゲートウェイ１よりも、早く立ち上がることができる。
【０２１１】
（１）第５の実施形態のシステムの構成
図２０は、本発明の第５の実施の形態におけるシステムの構成例を示す図である。図２１は、本発明の第５の実施の形態におけるシステムに備わるホームゲートウェイの構成例を示す図である。
【０２１２】
本実施形態のシステムは、図２０に示されるように、ホームゲートウェイ１の代わりに、ホームゲートウェイ９を備える。
【０２１３】
ホームゲートウェイ９は、図２１に示されるように、無線ＬＡＮ通信部１６と比較判定部１７の代わりに、無線ＬＡＮ通信部９６と比較判定部９７を備える。
【０２１４】
（２）ホームゲートウェイ９の各部位の機能
比較判定部９７は、入力された電源アダプタのＩＤが正規の電源アダプタのＩＤと一致したと判別すると、正規の電源アダプタのＩＤをメモリブロック１２に記憶する。
【０２１５】
無線ＬＡＮ通信部９６は、Ｅｎａｂｌｅ信号が入力されると、メモリブロック１２に正規の電源アダプタのＩＤが記憶されているかを判別する。無線ＬＡＮ通信部９６は、メモリブロック１２に正規の電源アダプタのＩＤが記憶されている場合には、ＩＤ一致を示す信号をＣＰＵ１１に出力する。無線ＬＡＮ通信部９６は、メモリブロック１２に正規の電源アダプタのＩＤが記憶されていない場合には、ＩＥＥＥ８０２．１１で規定される規格に準拠してビーコン信号を周期的に送信する。
【０２１６】
上述した以外の構成や機能は、第１の実施形態のシステムと同じであるので、同一の符号を付して説明を省略する。
【０２１７】
［動作の説明］
次に、本実施形態のシステムの動作を以下に説明する。図２２は、本発明の第５の実施の形態におけるシステムの動作を説明する為の図である。
【０２１８】
（１）ホームゲートウェイ９の起動
まず、上述のＳ１の後、ホームゲートウェイ９は、図２２に示されるように、無線ＬＡＮ通信部９６のみを動作可能な状態にし、その他の通信部１３、１４、１５は動作不可状態にする（Ｓ５２）。
【０２１９】
具体的には、ホームゲートウェイ９は、（「（２−１）上述のＳ２の具体的な動作」で説明した）上述のＳ１２０、Ｓ１２１を実施する。但し、ホームゲートウェイ９は、無線ＬＡＮ通信部１６を無線ＬＡＮ通信部９６と読み替えるものとする。
【０２２０】
その結果、ホームゲートウェイ９の機能制御部２１が、無線ＬＡＮ通信部９６にＥｎａｂｌｅ信号を出力する。
【０２２１】
（２）接続判別を省略するかどうかの判別
次に、ホームゲートウェイ９の無線ＬＡＮ通信部９６は、Ｅｎａｂｌｅ信号が機能制御部２１から入力されると、図２２に示されるように、メモリブロック１２を照会し、メモリブロック１２に正規の電源アダプタのＩＤが記憶されているかを判別する（Ｓ５３）。
【０２２２】
図２２では、正規の電源アダプタのＩＤを省略して電源情報と記載している。
【０２２３】
（３）正規の電源アダプタのＩＤを記憶していた場合
次に、ホームゲートウェイ９の無線ＬＡＮ通信部９６は、メモリブロック１２に正規の電源アダプタのＩＤが記憶されていた場合には、ＩＤ一致を示す信号をＣＰＵ１１に出力する（Ｓ５４）。
【０２２４】
この後、ホームゲートウェイ９のＣＰＵ１１は、ＩＤ一致を示す信号を入力されると、上述のＳ９を実施して、全ての機能部を動作させる。すなわち、ホームゲートウェイ９は、正規の電源アダプタかどうかの判別を省略して、立ち上がることができる。
【０２２５】
（２−２）正規の電源アダプタのＩＤを記憶していなかった場合
ホームゲートウェイ９の無線ＬＡＮ通信部９６は、メモリブロック１２に正規の電源アダプタのＩＤが記憶されていない場合には、ＩＥＥＥ８０２．１１で規定される規格に準拠してビーコン信号を周期的に送信する（Ｓ５５）。
【０２２６】
その後、ホームゲートウェイ９は、第１の実施形態のホームゲートウェイ１と同様、ビーコン信号を受信したスマートフォン２と上述のＳ３〜Ｓ１０を実施する。
【０２２７】
その他の動作については、第１の実施の形態の動作と同様である為、詳細の説明を省略する。
【０２２８】
［効果の説明］
本実施形態のホームゲートウェイ９は、電源アダプタ３からの電力の供給が瞬断し、その後、供給が再開されたとき、第１の実施形態のホームゲートウェイ１よりも早く立ち上がることができる。
【０２２９】
その理由は、ホームゲートウェイ８が、電源アダプタ３から電力の供給を受けているときに電源アダプタ３のＩＤを記憶し、電力の供給が再開したときに、電源アダプタ３のＩＤを記憶しているならば、正規の電源アダプタかどうかの判別を省略するからである。
【０２３０】
≪第６の実施の形態≫
次に、本発明の第６の実施の形態について説明する。
【０２３１】
［構成の説明］
図２３は、本発明の第６の実施の形態におけるシステムの構成例を示す図である。
【０２３２】
第６の実施形態のシステムは、図２３に示されるように、端末１００と通信機器１１０を備える。また、通信機器１１０は、通信部１１１、判定部１１２、及び遮断通知部１１３を備える。
【０２３３】
端末１００は、通信機器１１０の通信部１１１と接続される。端末１００は、通信部１１１と無線回線で接続されてもよい。通信機器１１０の判定部１１２は、通信部１１１と遮断通知部１１３に接続される。通信機器１１０には、アダプタ１２０がケーブルを介して接続される。
【０２３４】
アダプタ１２０は、通信機器１１０に電力を供給する。また、アダプタ１２０には、アダプタ１２０に対応する識別情報が符号化された符号１２１（例えばＱＲコードやバーコード）が表示される。符号１２１は、アダプタ１２０に貼付されたシール上に表示されてもよい。
【０２３５】
[動作の説明]
まず、端末１００は、通信機器１１０に電力を供給するアダプタ１２０に表示された符号からアダプタ１２０に対応する識別情報を読み取り、通信機器１１０の通信部１１１に送信する。
【０２３６】
次に、通信機器１１０の通信部１１１は、アダプタ１２０に対応する識別情報を端末１００から受信する。
【０２３７】
次に、通信機器１１０の判定部１１２は、（通信部１１１が）受信した識別情報が、所定の識別情報に対応するか否かを判断する。所定の識別情報は、定格に適合する電力を通信機器１１０に供給する正規のアダプタに対応する識別情報である。
【０２３８】
次に、通信機器１１０の遮断通知部１１３は、判定部１１２が否（すなわち、受信した識別情報が、正規のアダプタに対応する所定の識別情報でない）と判断した場合には、アダプタ１２０からの自装置（通信機器１１０）への電力の供給を遮断する。
【０２３９】
次に、通信機器１１０の遮断通知部１１３は、自装置（通信機器１１０）への電力の供給を遮断すると、誤接続を示す信号を出力する。
【０２４０】
上述の誤接続を示す信号は光信号であってもよい。その場合、遮断通知部１１３はご接続を示すＬＥＤを点灯させる。
【０２４１】
通信機器１１０のユーザは、通信機器１１０にアダプタ１２０を接続しているときに、誤接続であることを知ることができる。
【０２４２】
［効果の説明］
本実施形態によれば、システムは、運用コストを十分に低減することができる。
【０２４３】
なぜなら、本実施形態のシステムでは、アダプタに表示された符号からアダプタの識別情報を読み取るので、特許文献１の電力供給システムと異なり、識別情報を格納する為のメモリをアダプタに実装する必要がないからである。持ち運ばれるアダプタに壊れやすいメモリを実装する必要がないので、その分、修理する回数が減り、本実施形態のシステムは、運用コストを低減することができる。
【０２４４】
さらに、通信機器にアダプタを接続した者は、正規ではないアダプタを通信機器に誤接続したことを瞬時に知ることができる。
【０２４５】
なぜなら、本実施形態のシステムは、正規ではないアダプタが通信機器に誤接続されたときには、誤接続を示すＬＥＤを点灯するからである。
【０２４６】
なお、本実施形態のシステムは、特許文献１の電力供給システムと同様に、正規ではない電源アダプタが誤接続されたとき、通信機器が発熱したり、故障したりすることを防止することができる。正規ではない電源アダプタを誤接続されたときには、本実施形態のシステムの通信機器が、自装置にアダプタから供給される電力を遮断するからである。
【０２４７】
なお、上述した実施の形態は、その形態に限定されるものではなく、実施段階ではその要旨を逸脱しない範囲で種々変更可能である。
【０２４８】
さらに、上記の各実施形態の一部又は全部は、以下の付記のようにも記載されうるが、以下には限られない。
（付記１）
電力を自装置に供給するアダプタに対応する識別情報を受信する通信部と、
受信した前記識別情報が、所定の識別情報に対応するか否かを判断する判定部と、
前記判定部が否と判断した場合には、前記アダプタから自装置への電力の供給を遮断し、誤接続を示す信号を出力する遮断通知部と、を備える、
ことを特徴とする通信機器。
（付記２）
前記通信部は、自装置が前記アダプタから電力を供給されることが可能な所定の時間以内に前記識別情報を受信しないときには、遮断を要求する信号を出力し、
前記遮断通知部は、前記遮断を要求する信号が入力されると、前記アダプタから自装置への電力の供給を遮断する、
ことを特徴とする付記１に記載の通信機器。
（付記３）
動作を許可する信号が入力されると、対向する電子機器と通信を行う通信機能部を備え、
前記遮断通知部は、前記判定部が否と判断しない場合には、前記動作を許可する信号を前記通信機能部に出力する、
ことを特徴とする付記１乃至２のいずれか１項に記載の通信機器。
（付記４）
前記遮断通知部は、起動すると、動作を許可しない信号を出力し、
前記通信機能部は、前記動作を許可しない信号が入力されると、前記電子機器との通信を停止する、
ことを特徴とする付記３に記載の通信機器。
（付記５）
前記所定の識別情報は、定格に適合する電力を前記通信装置に供給する前記アダプタに対応する識別情報である、
ことを特徴とする付記１乃至４のいずれか１項に記載の通信機器。
（付記６）
通信機器に電力を供給するアダプタに表示された符号から前記アダプタに対応する識別情報を読み取り、前記通信機器に送信する、
ことを特徴とする端末。
（付記７）
前記符号は、一次元コード又は、二次元コードである、
ことを特徴とする付記６に記載の端末。
（付記８）
付記６又は付記７のいずれかに記載された端末と、前記通信機器と、を備え、
前記通信機器は、付記１乃至５のいずれかに記載された通信機器を含む、
ことを特徴とするシステム。
（付記９）
通信機器に電力を供給するアダプタに表示された符号から前記アダプタに対応する識別情報を読み取る読取工程と、
前記識別情報が所定の識別情報に対応するか否かを判断する判定工程と、
前記判定工程が否と判断した場合には、前記アダプタから前記通信機器への電力の供給を遮断し、誤接続を示す信号を出力する遮断通知工程と、を備える、
ことを特徴とする誤接続防止方法。
（付記１０）
前記読取工程は、前記通信機器が前記アダプタから電力を供給されることが可能な所定の時間以内に前記識別情報を受信しないときには、遮断を要求する信号を出力し、
前記遮断通知工程は、前記遮断を要求する信号が入力されると、前記アダプタから自装置への電力の供給を遮断する、
ことを特徴とする付記９に記載の誤接続防止方法。
（付記１１）
動作を許可する信号が入力されると、対向する電子機器と通信を行う通信工程を備え、
前記遮断通知工程は、前記判定工程が否と判断しない場合には、前記動作を許可する信号を前記通信工程に出力する、
ことを特徴とする付記９乃至１０のいずれか１項に記載の誤接続防止方法。
（付記１２）
前記遮断通知工程は、起動すると、動作を許可しない信号を出力し、
前記通信工程は、前記動作を許可しない信号が入力されると、前記電子機器との通信を停止する、
ことを特徴とする付記１１に記載の誤接続防止方法。
（付記１３）
前記所定の識別情報は、定格に適合する電力を前記通信装置に供給する前記アダプタに対応する識別情報である、
ことを特徴とする付記９乃至１２のいずれか１項に記載の誤接続防止方法。
【符号の説明】
【０２４９】
１    ホームゲートウェイ
２    スマートフォン
３    電源アダプタ
４    ホームゲートウェイ
５    スマートフォン
６    ホームゲートウェイ
７    スマートフォン
８    スマートフォン
９    ホームゲートウェイ
１１    ＣＰＵ
１２    メモリブロック
１３    電話機能部
１４    Ｅｔｈｅｒｎｅｔ通信部
１５    ＵＳＢ接続機能部
１６    無線ＬＡＮ通信部
１７    比較判定部
１８    電源生成・供給部
１９    電源制御部
２０    電源入力部
２１    機能制御部
２２    点灯部
３１    電源ケーブル
３２    ＱＲコード
３３    ラベル
４０    移動体通信網
４１    インターネット
４２    モデム
４３    ＱＲコード
９６    無線ＬＡＮ通信部
９７    比較判定部
１００    端末
１１０    通信機器
１１１    通信部
１１２    判定部
１１３    遮断通知部
１２０    アダプタ
１２１    符号
【図１】
2015210570.tif 000003
【図２】
2015210570.tif 000004
【図３】
2015210570.tif 000005
【図４】
2015210570.tif 000006
【図５】
2015210570.tif 000007
【図６】
2015210570.tif 000008
【図７】
2015210570.tif 000009
【図８】
2015210570.tif 000010
【図９】
2015210570.tif 000011
【図１０】
2015210570.tif 000012
【図１１】
2015210570.tif 000013
【図１２】
2015210570.tif 000014
【図１３】
2015210570.tif 000015
【図１４】
2015210570.tif 000016
【図１５】
2015210570.tif 000017
【図１６】
2015210570.tif 000018
【図１７】
2015210570.tif 000019
【図１８】
2015210570.tif 000020
【図１９】
2015210570.tif 000021
【図２０】
2015210570.tif 000022
【図２１】
2015210570.tif 000023
【図２２】
2015210570.tif 000024
【図２３】
2015210570.tif 000025
【図２４】
2015210570.tif 000026